(57)【要約】【課題】外箱に安定的な固定力を形成して電子機器を固定設置することができる電子機器固定用ブラケット及び電子機器固定構造を提供する。【解決手段】本発明は、電子機器固定用ブラケットを提供する。前記電子機器固定用ブラケットは、外箱に形成される設置孔に配置されて、前記外箱の前面において、前記設置孔近くの領域に接触されるように縁に沿って形成されるフロントカバーを有する電子機器を固定する電子機器固定用ブラケットにおいて、前記電子機器固定用ブラケットは、一端が前記電子機器の後面部縁に沿って配置されて、他端が前記外箱の後面部において、前記設置孔近くの領域に密着する支持領域を形成するブラケットボディと、前記ブラケットボディに設けられて、前記外箱を境にして前記フロントカバーと前記支持領域との間を締め付ける結合部材を含む。【選択図】図５
2018148213.tif 000002
【特許請求の範囲】
【請求項１】
外箱に形成される設置孔に収容されるものの、前記設置孔近くの前記外箱の前面に密着するフロントカバーを有する電子機器を固定する電子機器固定用ブラケットにおいて、
前記電子機器固定用ブラケットは、
一端が前記電子機器の後面部を支持し、他端が前記電子機器の後面部縁に接するように配置されるブラケットボディと、
前記ブラケットボディに設けられて、前記外箱の前面および後面において、前記フロントカバーと前記ブラケットボディの他端を締め付けて前記電子機器を固定する結合部材を含むことを特徴とする、電子機器固定用ブラケット。
【請求項２】
前記ブラケットボディは、
前記結合部材が貫通する締結孔を有する第１のブラケットボディと、
前記第１のブラケットボディの端部において、前記電子機器の後面部縁を囲むようにベンディングされる第２のブラケットボディを備えるものの、
前記結合部材は、前記電子機器の後面部縁にスクリュー結合されて、
前記第２のブラケットボディの端は、前記設置孔近くの前記外箱の後面と密着する支持領域を形成することを特徴とする、請求項１に記載の電子機器固定用ブラケット。
【請求項３】
前記電子機器の後面部縁にはガイド孔が形成されて、
前記第１のブラケットボディには、
前記ガイド孔に差し込まれて移動を案内するガイドロードが突き出て形成されることを特徴とする、請求項２に記載の電子機器固定用ブラケット。
【請求項４】
前記ガイド孔は、前記ガイドロードの形状に対応する形状に形成されるものの、
前記ガイドロードの縦断面は、
多角状に形成されることを特徴とする、請求項３に記載の電子機器固定用ブラケット。
【請求項５】
前記電子機器の後面部縁には、
前記第２のブラケットボディの移動を案内する案内溝がさらに形成されることを特徴とする、請求項２に記載の電子機器固定用ブラケット。
【請求項６】
前記フロントカバーと前記外箱との間には、
弾性部材が介在されることを特徴とする、請求項３に記載の電子機器固定用ブラケット。
【請求項７】
請求項１の電子機器固定用ブラケットを用いた電子機器固定構造。
【発明の詳細な説明】
【技術分野】
【０００１】
本発明は、電子機器固定用ブラケットに関するものであって、より詳細には、外箱に安定的な固定力を形成して電子機器を固定設置することができる電子機器固定用ブラケット及び電子機器固定構造に関する。
【背景技術】
【０００２】
普通、ＨＭＩ機器およびパネルＰＣのような電子機器は、外箱に固定される構造を有する。
【０００３】
図１は、従来のスロットが形成される電子機器の上部および下部に形成される電子機器を示す図面であり、図２は、従来の電子機器を外箱に設置する方式を示す図面である。
【０００４】
図１の（ａ）及び（ｂ）を参照すると、電子機器１０の上段および下段の角部それぞれにはスロット１１が形成される。
【０００５】
ここで、図２に示されるように、前記電子機器１０の上段および下段にはブラケット３０がそれぞれ取り付けられる。
【０００６】
前記それぞれのブラケット３０には引っ掛け具３２が形成される。
【０００７】
前記引っ掛け具３２は、上述した電子機器１０の上段および下段の角部に形成されるスロット１１に差し込まれる構成であり、前記ブラケット３０を当該位置に固定する役割を持つ。
【０００８】
したがって、各ブラケット３０は、図２に示されるように、電子機器１０の後面縁に取り付けられる。
【０００９】
また、前記電子機器１０は、外箱２０に形成される設置孔２１に位置し、その前面部は、外箱２０の前面部側に突き出て、その後面部は、外箱２０の後面部に突き出る。
【００１０】
そして、前記ブラケット３０にはスクリューボルト３１がスクリュー締結される状態に設けられて、前記スクリューボルト３１の両端は、前記ブラケット３０の両端に露出する。
【００１１】
前記スクリューボルト３１を別のドライバー４０を用いて締結方向に回転させると、前記スクリューボルト３１の他端は、外箱２０の後面部側に突き出るように進む。
【００１２】
これによって、スクリューボルト３１の他端は、徐々に進み、外箱２０の後面部に密着することができ、電子機器１０の両面部は、外箱２０を境にして密着固定される。
【００１３】
しかし、従来のブラケット３０は、板金から製作されるため、一定以上のトルクが加わる場合、撓みが発生して、固定する役割であるブラケット自体の機能を失う問題点がある。
【００１４】
また、従来には、ブラケット３０内にスクリュー結合されるスクリューボルト３１を回す場合、スクリューボルト３１の他端が外箱２０の後面部に直接に接触されることにより、外箱２０の外面にスクラッチが生じるか、接触面が少なくて当該接触部位に応力が集中する問題がある。
【００１５】
本発明に係る先行文献としては、韓国公開実用公開番号２０−１９９４−００１４１０２号がある。
【先行技術文献】
【特許文献】
【００１６】
【特許文献１】韓国公開実用公開番号２０−１９９４−００１４１０２号公報
【発明の概要】
【発明が解決しようとする課題】
【００１７】
本発明の目的は、外箱に安定的な固定力を形成して電子機器を固定設置することができる電子機器固定用ブラケット及び電子機器固定構造を提供することにある。
【課題を解決するための手段】
【００１８】
好ましい実施形態において、本発明は、電子機器固定用ブラケットを提供する。
【００１９】
前記電子機器固定用ブラケットは、外箱に形成される設置孔に収容されるものの、前記設置孔近くの前記外箱の前面に密着するフロントカバーを有する電子機器を固定する。
【００２０】
前記電子機器固定用ブラケットは、一端が前記電子機器の後面部を支持し、他端が前記電子機器の後面部縁に接するように配置されるブラケットボディと、前記ブラケットボディに設けられて、前記外箱の前面および後面において、前記フロントカバーと前記ブラケットボディの他端を締め付けて前記電子機器を固定する結合部材を含む。
【００２１】
前記ブラケットボディは、前記結合部材が貫通する締結孔を有する第１のブラケットボディと、前記第１のブラケットボディの端部で前記電子機器の後面部縁を囲むようにベンディングされる第２のブラケットボディを備えるものの、前記結合部材は、前記電子機器の後面部縁にスクリュー結合されて、前記第２のブラケットボディの端は、前記設置孔近くの前記外箱の後面と密着する支持領域を形成することが好ましい。
【００２２】
前記電子機器の後面部縁にはガイド孔が形成されることが好ましい。
【００２３】
前記第１のブラケットボディには、前記ガイド孔に差し込まれて移動を案内するガイドロードが突き出て形成されることが好ましい。
【００２４】
前記ガイド孔は、前記ガイドロードの形状に対応する形状に形成されることが好ましい。
【００２５】
前記ガイドロードの縦断面は、多角状に形成されることが好ましい。
【００２６】
前記電子機器の後面部縁には、前記第２のブラケットボディの移動を案内する案内溝をさらに形成することが好ましい。
【００２７】
前記フロントカバーと前記外箱との間には、弾性部材が介在されることが好ましい。
【００２８】
他の実施形態において、本発明は、電子機器固定用ブラケット及び電子機器固定構造も提供する。
【発明の効果】
【００２９】
本発明は、外箱に安定的な固定力を形成して電子機器を固定設置することができる効果を有する。
【図面の簡単な説明】
【００３０】
【図１】従来のスロットが形成される電子機器の上部および下部に形成される電子機器を示す図面である。
【図２】従来の電子機器を外箱に設置する方式を示す図面である。
【図３】本発明の電子機器固定用ブラケットを介して外箱に設置される電子機器の前面部を示す斜視図である。
【図４】本発明の電子機器固定用ブラケットを介して外箱に設置される電子機器の後面部を示す斜視図である。
【図５】本発明による電子機器固定用ブラケットの構成を示す斜視図である。
【図６】本発明の電子機器固定用ブラケットが取り付けられる電子機器の後面部１０１を示す斜視図である。
【図７】本発明の電子機器固定用ブラケットを用いて電子機器を外箱に固定する状態を示す図面である。
【図８】本発明によるフロントカバーと外箱との間に弾性部材が介在される状態を示す図面である。
【図９】本発明の電子機器固定用ブラケットが取り付けられる状態を示す断面図である。
【図１０】本発明によるガイド部材の他の例を示す図面である。
【図１１】本発明による電子機器の後面部縁の外側面に案内溝が形成される例を示す図面である。
【発明を実施するための形態】
【００３１】
本発明の実施形態に対して、図面を参照して本発明が属する技術分野における通常の知識を有する者が容易に実施できるように詳説する。
【００３２】
本発明は、異なる形態に具現することができ、ここで説明する実施形態に限定されない。
【００３３】
本発明を明確に説明するために説明と関係ない部分は省いており、全明細書における同一または類似の構成要素に対しては、同じ参照符号を付する。
【００３４】
以下において、基材の「上部（または下部）」または基材の「上（または下）」に任意の構成が具備または配置されるということは、任意の構成が前記基材の上面（または下面）に接して具備または配置されることを意味する。
【００３５】
また、上記基材と基材上に（または下に）具備または配置された任意の構成の間に他の構成を含まないと限定するものではない。
【００３６】
以下、添付の図面を参照して、本発明の電子機器固定用ブラケット及び電子機器固定用ブラケット及び電子機器固定構造を説明する。
【００３７】
図３は、本発明の電子機器固定用ブラケットを介して外箱に設置される電子機器の前面部を示す斜視図であり、図４は、本発明の電子機器固定用ブラケットを介して外箱に設置される電子機器の後面部を示す斜視図である。
【００３８】
図３および図４を参照すると、本発明の電子機器固定用ブラケット３００は、外箱２００に形成される設置孔２１０に配置されて、前記外箱２００の前面部において、前記設置孔２１０近くの領域に接触するように縁に沿って形成されるフロントカバー１１０を有する電子機器１００を固定する。
【００３９】
ここで、前記電子機器１００は、ＨＭＩ機器およびパネルＰＣのような機器を含んでいても良い。
【００４０】
前記フロントカバー１１０は、電子機器１００の前面部縁に沿って外側に拡張するように形成される。
【００４１】
前記電子機器１００は、外箱２００に形成される設置孔２１０に差し込まれるように位置する。
【００４２】
そして、前記フロントカバー１１０は、外箱２００の前面部に露出して、設置孔２１０近くの領域に接触するように配置される。
【００４３】
図面に示されてはいないが、前記フロントカバー２１０の内側面部には、弾性層(未図示）がさらに形成されて、外箱２００の前面部に弾性的に密着してもよい。
【００４４】
一方、前記電子機器１００の後面部は、図４に示されるように、前記設置孔２１０を介して外箱２００の後面部に突き出るように配置される。
【００４５】
ここで、本発明によるブラケット３００は、複数備えて、前記電子機器１００の後面部縁を外箱２００の後面部で設置孔２１０近くの領域に密着させる。
【００４６】
すなわち、前記外箱２００の後面部には、第２のブラケットボディ３１２の端部に密着して締め付けられる支持領域が形成される。
【００４７】
したがって、本発明による電子機器１００は、設置孔２１０に位置する状態で、外箱２００の前面部に配置されるフロントカバー１１０と外箱２００の後面部に位置するブラケット３００を介して締め付けられて密着設置される。
【００４８】
次いで、上記機能を有する本発明のブラケット３００の構成を説明する。
【００４９】
図５は、本発明による電子機器固定用ブラケットの構成を示す斜視図であり、図６は、本発明の電子機器固定用ブラケットが取り付けられる電子機器の後面部１０１を示す斜視図である。
【００５０】
図５を参照すると、本発明のブラケット３００は、第１のブラケットボディ３１１及び第２のブラケットボディ３１２を有するブラケットボディ３１０と、結合部材３２０を含んでいても良い。
【００５１】
前記第１のブラケットボディ３１１は、前記電子機器１００の後面部１０１に密着するように配置される。
【００５２】
前記第２のブラケットボディ３１２は、前記第１のブラケットボディ３１１の一端でベンディングされて、前記電子機器１００の後面部縁１２０の側面部に密着するように配置される。
【００５３】
ここで、前記第１，２のブラケットボディ３１１，３１２間の夾角は、前記電子機器１００の後面部縁１２０における後面と上面との折り曲げる角度に対応する角にベンディングされることが良い。
【００５４】
また、前記第２のブラケットボディ３１２の端部は、外箱２００の後面部に接触するように配置される。
【００５５】
そして、前記第１のブラケットボディ３１１には結合部材３２０が貫通する貫通孔３１１ａが形成される。
【００５６】
ここで、前記結合部材３２０は、スクリューボルトであることが良い。
【００５７】
一方、本発明による電子機器１００の後面部縁１２０には、間隔を開けて形成される締結孔１２１が形成される。
【００５８】
前記締結孔１２１と貫通孔３１１ａは、その位置が一致し、位置が一致する貫通孔３１１ａと締結孔１２１には結合部材３２０が締結される。
【００５９】
これによって、第１のブラケットボディ３１１は、電子機器１００の後面部縁１２０に固定される。
【００６０】
そして、前記結合部材３２０の締結度合いによって第１，２のブラケットボディ３１１，３１２は、前後方に移動される。
【００６１】
すなわち、前記結合部材３２０が貫通孔３１１ａを貫通する状態で当該締結孔１２１に締結するように回転されると、第２のブラケットボディ３１２は、外箱２００の後面部に近づくように移動される。
【００６２】
一方、前記結合部材３２０が貫通孔３１１ａを貫通する状態で当該締結孔１２１から離脱するように逆回転されると、第２のブラケットボディ３１２は、外箱２００の後面部から離隔するように移動される。
【００６３】
一方、本発明による第１のブラケットボディ３１１には、一定長さを有して突き出るガイドロード３３０が形成される。
【００６４】
ここで、本発明による電子機器１００の後面部縁１２０にはガイド孔１２２が形成されることが良い。
【００６５】
前記ガイドロード３３０は、円棒状に形成されて、前記ガイド孔１２２は、円筒孔から形成されてもよい。
【００６６】
したがって、前記第１のブラケットボディ３１１は、前記ガイド孔１２２にガイドロード３３０が差し込まれた状態で前後に移動されることで、これによる移動が案内されるためずれることを防止することができる。
【００６７】
特に、本発明によるガイド孔１２２は、前記ガイドロード３３０の形状に対応する形状に形成されることが良い。
【００６８】
次は、上記のように構成される本発明のブラケットを用いた電子機器固定構造を説明する。
【００６９】
図７は、本発明の電子機器固定用ブラケットを用いて電子機器を外箱に固定する状態を示す図面であり、図８は、本発明によるフロントカバーと外箱との間に弾性部材が介在される状態を示す図面で、図８は、本発明の電子機器固定用ブラケットが取り付けられる状態を示す断面図である。
【００７０】
本発明による電子機器１００は、図３及び図４に示されるように、外箱２００に形成される設置孔２１０に位置する。
【００７１】
ここで、フロントカバー１１０は、外箱２００の前面部に接触される状態を成して、電子機器１００の後面部は、外箱２００の後面部側に沿って突き出るように配置される。
【００７２】
そして、本発明によるブラケット３００を複数準備する。
【００７３】
図６ないし図９を参照して、ブラケット３００を取り付ける過程を説明する。
【００７４】
それぞれのブラケット３００の第１のブラケットボディ３１１を結合部材３２０を用いて、貫通孔３１１ａを貫通する状態で電子機器１００の後面部縁１２０に形成される締結孔１２１に締結する。
【００７５】
また、第２のブラケットボディ３１２は、電子機器１００の後面部縁１２０の外側面に位置する状態を成す。
【００７６】
このとき、前記第２のブラケットボディ３１２の端部は、外箱２００の後面部に向かい合うように位置される。
【００７７】
次いで、結合部材３２０を回転させて、当該締結孔１２１に徐々に締結されるようにする。
【００７８】
これによって、第２のブラケットボディ３１２は、電子機器１００の後面部縁１２０の外側面で外箱２００の後面部に近づくように移動されて、前記外箱２００の後面部を密着および加圧する状態を成すことができる。
【００７９】
したがって、外箱２００を境にして、フロントカバー１１０と第２のブラケットボディ３１２の端部は、相互締め付けられるため電子機器１００は、設置孔２１０に位置する状態で安定的に固定される。
【００８０】
一方、本発明において、第１のブラケットボディ３１１には、ガイドロード３３０が突き出て形成され、このガイドロード３３０は、電子機器１００の後面部縁１２０に形成されるガイド孔１２２に差し込まれて移動可能な状態を成す。
【００８１】
これによって、上記のように、結合部材３２０が締結される過程において、第２のブラケットボディ３１２の移動を案内して、移動中に第２のブラケットボディ３１２がずれるなどの問題を防止することができる。
【００８２】
さらに、本発明では、図８に示されるように、フロントカバー１１０と前記外箱２００との間に弾性部材３４０が介在されるため、外箱２００を境にしてフロントカバー１１０と第２のブラケットボディ３１２の端部が相互締め付けられる場合、弾性力を加えて密着度合いの効率を高めると共に、外部衝撃を吸収することもできる。
【００８３】
また、前記弾性部材３４０が介在されることにより、外部から電子機器１００が固定される設置孔２１０側に異物が投入することを防止することもできる。
【００８４】
図１０は、本発明によるガイド部材の他の例を示す図面である。
【００８５】
図１０を参照すると、本発明によるガイドロード３３０‘の縦断面は、多角状に形成されても良い。
【００８６】
すなわち、本発明によるガイドロード３３０‘は、多角状であり、長さを有する棒状に形成されてもよい。
【００８７】
また、電子機器１００の後面部縁１２０に形成されるガイド孔１２２‘も多角状の溝に形成されてもよい。
【００８８】
したがって、多角状に形成されるガイドロード３３０‘は、多角状のガイド孔１２２‘に差し込まれて前後方に流動することができる。
【００８９】
また、ガイドロード３３０‘とガイド孔１２２‘が多角を成して結合されることで、ガイドロード３３０‘がガイド孔１２２‘で流動されながら、回転流動が発生する現象を防止することができる。
【００９０】
したがって、第２のブラケットボディ３１２を外箱２００の後面部に密着する過程において、ガイドロード３３０‘が回転されないことで、第２のブラケットボディ３１２の形態が回転方向に沿ってずれるなどの問題を効果的に防止することができる。
【００９１】
図１１は、本発明による電子機器の後面部縁の外側面に案内溝が形成される例を示す図面である。
【００９２】
図１１を参照すると、本発明による電子機器１００の後面部縁１２０の外側面に案内溝１２３が形成されてもよい。
【００９３】
前記案内溝１２３の幅は、前記第２のブラケットボディ３１２の幅と実質的に同じ幅を成して形成されることが良い。
【００９４】
そして、前記案内溝１２３は、第２のブラケットボディ３１２の流動方向に沿って形成されることが良い。
【００９５】
これによって、第２のブラケットボディ３１２を外箱２００の後面部に密着する過程において、前記第２のブラケットボディ３１２は、当該案内溝１２３に沿って移動されることで、移動の際、経路が外れるなどの問題を解決することができる。
【００９６】
さらに、外箱２００に外部衝撃が加われても、第２のブラケットボディ３１２の端部が外箱２００の後面部に密着する状態が外れる問題を解決することもできる。
【００９７】
上記の構成および作用によって、本発明による実施形態は、外箱に安定的な固定力を形成して電子機器を固定設置することができる利点がある。
【００９８】
以上、本発明の電子機器固定用ブラケットに関する具体的な実施形態について説明したが、本発明の範囲から脱しない限度内では、様々な実施の変形が可能であることは自明である。
【００９９】
したがって、本発明の範囲には、説明した実施形態に限られてはならないし、後述する特許請求の範囲のみならず、同特許請求の範囲と均等なものによって定めるべきである。
【０１００】
すなわち、前述の実施形態は、あらゆる面において例示的なものであり、限定的なものではないと理解しなければならないし、本発明の範囲は、詳細な説明よりは、後述する特許請求の範囲によって示され、その特許請求の範囲の意味および範囲、そして、その等価の概念から想到するあらゆる変更または変形された形態は、本発明の範囲に含まれると解釈されるべきである。
【符号の説明】
【０１０１】
１００  電子機器
１１０  フロントカバー
１２０  後面部縁
１２１  締結孔
１２２、１２２‘  ガイド孔
１２３  案内溝
２００  外箱
２１０  設置孔
３００  ブラケット
３１０  ブラケットボディ
３１１  第１のブラケットボディ
３１１ａ  貫通孔
３１２  第２のブラケットボディ
３２０  結合部材
３３０  ガイドロード
【図１】
2018148213.tif 000003
【図２】
2018148213.tif 000004
【図３】
2018148213.tif 000005
【図４】
2018148213.tif 000006
【図５】
2018148213.tif 000007
【図６】
2018148213.tif 000008
【図７】
2018148213.tif 000009
【図８】
2018148213.tif 000010
【図９】
2018148213.tif 000011
【図１０】
2018148213.tif 000012
【図１１】
2018148213.tif 000013